(57)【要約】【課題】ペットの種類や大きさ等に応じてペットケージの大きさや態様を変える。【解決手段】底枠２と、必要に応じて１又は複数配設される中枠と、天枠３と、底枠２等に着脱自在に取り付けられる支柱４と、底枠２、天枠３等の間に着脱自在に取り付けられて収納空間の周囲を仕切る線材板５とを組み合わせて、１段又は複数段に構成する。線材板５の上端突起２１に嵌合して下側挿入穴２２に挿入される上端キャップ２３と、線材板５の下端突起２９に嵌合して上側挿入穴３０に挿入される下端キャップ３１とを備えた。上端キャップ２３内には、上端キャップ２３を下側挿入穴２２に押し付ける付勢手段２６とを備えた。【選択図】　　図１
0003098127.tif 000002
【実用新案登録請求の範囲】
【請求項１】
収納空間の底部に位置する底枠と、収納空間の中間に位置すると共に必要に応じて１又は複数配設される中枠と、収納空間の天井部に位置する天枠と、上記底枠、中枠及び天枠に着脱自在に取り付けられる支柱と、上記底枠と天枠との間及び中枠が配設されている場合は中枠と底枠又は天枠との間に着脱自在に取り付けられて収納空間の周囲を仕切る線材板とを組み合わせて、１段又は複数段に構成することを特徴とするペットケージ。
【請求項２】
請求項１に記載のペットケージにおいて、
上記線材板が、その上端部に設けられて上記天枠や中枠に設けられた下側挿入穴に挿入される上端突起と、当該上端突起に取り付けられて上記下側挿入穴に挿入される上端支持筒と、上記線材板の下端部に設けられて上記底枠や中枠に設けられた上側挿入穴に挿入される下端突起と、当該下端突起に取り付けられて上記上側挿入穴に挿入される下端支持筒とを備えたことを特徴とするペットケージ。
【請求項３】
請求項１に記載のペットケージにおいて、
上記線材板が、その上端部に設けられて上記天枠や中枠に設けられた下側挿入穴に挿入される上端突起と、当該上端突起に嵌合して上記下側挿入穴に挿入される上端キャップと、上記線材板の下端部に設けられて上記底枠や中枠に設けられた上側挿入穴に挿入される下端突起と、当該下端突起に嵌合して上記上側挿入穴に挿入される下端キャップとを備えたことを特徴とするペットケージ。
【請求項４】
請求項３に記載のペットケージにおいて、
上記上端キャップが、上記上端突起に直接に嵌合する有底筒体部と、当該有底筒体部の下端部に設けられて上記下側挿入穴の周縁に当接されるフランジ部と、上記有底筒体部内に装着され上記上端突起に支持されて上端キャップを上記下側挿入穴に押し付ける付勢手段とを備え、
上記下端キャップが、上記下端突起に直接に嵌合する有底筒体部と、当該有底筒体部の上端部に設けられて上記上側挿入穴の周縁に当接されるフランジ部とを備えたことを特徴とするペットケージ。
【請求項５】
請求項１ないし４のいずれか１項に記載のペットケージにおいて、
上記中枠に、ペットの通路部分を切り欠いた板材を設けたことを特徴とするペットケージ。
【請求項６】
請求項１ないし５のいずれか１項に記載のペットケージにおいて、
上記底枠、中枠又は天枠のうち少なくとも２つが、その内側の下部に開口して設けられ板材等が挿入される環状溝と、当該環状溝の下側に位置して環状溝に挿入された板材等を上記底枠等の下側面に合わせて支持する底板部と、上記環状溝の上側に位置して環状溝に挿入された板材等を下側面に接合して支持すると共に上側から載置される板材等を上側面で支持するフランジ部とを備えたことを特徴とするペットケージ。
【請求項７】
複数の枠体と、各枠体を支持する支柱と、各枠体の間に取り付けられる線材板とを備えたペットケージにおいて、
上記線材板が、その上端部に設けられて上記天枠や中枠に設けられた下側挿入穴に挿入される上端突起と、当該上端突起に取り付けられて上記下側挿入穴に挿入される上端支持筒と、上記線材板の下端部に設けられて上記底枠や中枠に設けられた上側挿入穴に挿入される下端突起と、当該下端突起に取り付けられて上記上側挿入穴に挿入される下端支持筒とを備えたことを特徴とするペットケージ。
【請求項８】
複数の枠体と、各枠体を支持する支柱と、各枠体の間に取り付けられる線材板とを備えたペットケージにおいて、
上記線材板が、その上端部に設けられて上記天枠や中枠に設けられた下側挿入穴に挿入される上端突起と、当該上端突起に嵌合して上記下側挿入穴に挿入される上端キャップと、上記線材板の下端部に設けられて上記底枠や中枠に設けられた上側挿入穴に挿入される下端突起と、当該下端突起に嵌合して上記上側挿入穴に挿入される下端キャップとを備えたことを特徴とするペットケージ。
【請求項９】
請求項８に記載のペットケージにおいて、
上記上端キャップが、上記上端突起に直接に嵌合する有底筒体部と、当該有底筒体部の下端部に設けられて上記下側挿入穴の周縁に当接されるフランジ部と、上記有底筒体部内に装着され上記上端突起に支持されて上端キャップを上記下側挿入穴に押し付ける付勢手段とを備え、
上記下端キャップが、上記下端突起に直接に嵌合する有底筒体部と、当該有底筒体部の上端部に設けられて上記上側挿入穴の周縁に当接されるフランジ部とを備えたことを特徴とするペットケージ。
【考案の詳細な説明】
【０００１】
【考案の属する技術分野】
この考案は、ペットケージに関し、特にペットの種類や大きさ等に応じてその大きさや態様を変えられるペットケージに関するものである。
【０００２】
【従来の技術】
ペットケージとしては種々のものがある。猫用、犬用、ハムスター用等のように、ペットの種類や大きさに応じて、種々のペットケージが作られている。
【０００３】
【考案が解決しようとする課題】
しかしながら、ペットの種類や大きさに応じてペットケージを作る場合は、ペットケージの種類は膨大になっていします。
【０００４】
また、ユーザーにおいても、ペットの死亡等によって新しいペットを飼う場合、そのペットに合わせて新たにペットケージを購入する必要があり、無駄が生じていた。
【０００５】
本考案は、上述の問題点に鑑みてなされたもので、ペットの種類や大きさ等に応じてその大きさや態様を変えられるペットケージを提供することを目的とする。
【０００６】
【課題を解決するための手段】
前述した課題を解決するために第１の考案に係るペットケージは、収納空間の底部に位置する底枠と、収納空間の中間に位置すると共に必要に応じて１又は複数配設される中枠と、収納空間の天井部に位置する天枠と、上記底枠、中枠及び天枠に着脱自在に取り付けられる支柱と、上記底枠と天枠との間及び中枠が配設されている場合は中枠と底枠又は天枠との間に着脱自在に取り付けられて収納空間の周囲を仕切る線材板とを組み合わせて、１段又は複数段に構成することを特徴とする。
【０００７】
上記構成により、底枠に支柱を取り付け、必要に応じて中枠を取り付けてその上にさらに支柱を取り付けて天枠を取り付ける。このようにして組み合わせた枠組みに、線材板を取り付けて、１段又は複数段の、ペットの収納空間を構成する。また、複数段のペットケージを構成し、線材板は設けないようにしてもよい。これにより、ペットが上り下りしたり休んだりする空間を構成することができる。さらに、ペットケージを上方と共に横へ複数並べて構成してもよい。
【０００８】
第２の考案に係るペットケージは、第１の考案に係るペットケージにおいて、上記線材板が、その上端部に設けられて上記天枠や中枠に設けられた下側挿入穴に挿入される上端突起と、当該上端突起に取り付けられて上記下側挿入穴に挿入される上端支持筒と、上記線材板の下端部に設けられて上記底枠や中枠に設けられた上側挿入穴に挿入される下端突起と、当該下端突起に取り付けられて上記上側挿入穴に挿入される下端支持筒とを備えたことを特徴とする。
【０００９】
上記構成により、線材板の上端突起に上端支持筒を取り付け、下端突起に下端支持筒を取り付ける。次いで、線材板の上端突起を天枠等の下側挿入穴に挿入し、下端突起を底枠等の上側挿入穴の直上に位置させて、そのまま上側挿入穴に挿入する。これにより、線材板を底枠や天枠等の間に容易に取り付けることができる。さらに、上端支持筒及び下端支持筒が、線材板と底枠等との間に介在して、線材板と底枠等とが直接に接触するのを防止する。この結果、線材板及び底枠等が金属のときに特に大きくなる接触音を防止することができる。なお、上端支持筒及び下端支持筒は、有底筒体状にしても、底のない筒体状にしてもよい。
【００１０】
第３の考案に係るペットケージは、第１の考案に係るペットケージにおいて、上記線材板が、その上端部に設けられて上記天枠や中枠に設けられた下側挿入穴に挿入される上端突起と、当該上端突起に嵌合して上記下側挿入穴に挿入される上端キャップと、上記線材板の下端部に設けられて上記底枠や中枠に設けられた上側挿入穴に挿入される下端突起と、当該下端突起に嵌合して上記上側挿入穴に挿入される下端キャップとを備えたことを特徴とする。
【００１１】
上記構成により、線材板の上端突起に上端キャップを取り付け、下端突起に下端キャップを取り付ける。次いで、線材板の上端突起を天枠等の下側挿入穴に挿入し、下端突起を底枠等の上側挿入穴の直上に位置させて、そのまま上側挿入穴に挿入する。下端キャップが下端突起から抜け落ちる場合は、下端キャップを予め上側挿入穴に挿入しておき、下端突起を下端キャップに挿入する。これにより、線材板を底枠や天枠等の間に容易に取り付けることができる。さらに、上端キャップ及び下端キャップが、線材板と底枠等との間に介在して、線材板と底枠等とが直接に接触するのを防止する。この結果、線材板及び底枠等が金属のときに特に大きくなる接触音を防止することができる。
【００１２】
第４の考案に係るペットケージは、第３の考案に係るペットケージにおいて、上記上端キャップが、上記上端突起に直接に嵌合する有底筒体部と、当該有底筒体部の下端部に設けられて上記下側挿入穴の周縁に当接されるフランジ部と、上記有底筒体部内に装着され上記上端突起に支持されて上端キャップを上記下側挿入穴に押し付ける付勢手段とを備え、上記下端キャップが、上記下端突起に直接に嵌合する有底筒体部と、当該有底筒体部の上端部に設けられて上記上側挿入穴の周縁に当接されるフランジ部とを備えたことを特徴とする。
【００１３】
上記構成により、上端キャップを上端突起に嵌合することにより、有底筒体部内の付勢手段が上端キャップを上方へ付勢する。この状態で上端キャップを天枠等の下側挿入穴に挿入すると、フランジ部が下側挿入穴の周縁に当接した状態で、上端キャップを下側挿入穴に押し付ける。これにより、上端キャップに装着された付勢手段が線材板を下方へ押し付ける。次いで、下端キャップを線材板の下端突起に嵌合した状態で、下端キャップを底枠等の上側挿入穴の直上に位置させて、そのまま上側挿入穴に挿入する。下端キャップが下端突起から抜け落ちる場合は、下端キャップを予め上側挿入穴に挿入しておき、下端突起を下端キャップに挿入する。これにより、線材板を底枠や天枠等の間に容易に取り付けることができる。さらに、上端キャップ内の付勢手段が線材板を下方へ押し付けるため、下端突起が下端キャップに挿入された状態で、下端キャップが上側挿入穴に確実に挿入される。また、上端キャップ及び下端キャップが、線材板と底枠等との間に介在して、線材板と底枠等とが直接に接触するのを防止する。この結果、線材板及び底枠等が金属のときに特に大きくなる接触音を防止することができる。
【００１４】
第５の考案に係るペットケージは、第１ないし第４の考案のいずれかに記載のペットケージにおいて、上記中枠に、ペットの通路部分を切り欠いた板材を設けたことを特徴とする。
【００１５】
上記構成により、中枠の板材の切り欠き部分をペットが通って上の部屋へ移動したり下の部屋へ移動したりすると共に中枠の板材で休んだりする。
【００１６】
第６の考案に係るペットケージは、第１ないし第５の考案のいずれかに記載のペットケージにおいて、上記底枠、中枠又は天枠のうち少なくとも２つが、その内側の下部に開口して設けられ板材等が挿入される環状溝と、当該環状溝の下側に位置して環状溝に挿入された板材等を上記底枠等の下側面に合わせて支持する底板部と、上記環状溝の上側に位置して環状溝に挿入された板材等を下側面に接合して支持すると共に上側から載置される板材等を上側面で支持するフランジ部とを備えたことを特徴とする。
【００１７】
上記構成により、底枠や天枠等として使用される位置に応じた板材等が取り付けられる。底枠等として使用される位置に応じて、板材等を、底板部で支持したり、フランジ部の下側面に接合して支持したり、フランジ部の上側から載置したりする。
【００１８】
第７の考案に係るペットケージは、複数の枠体と、各枠体を支持する支柱と、各枠体の間に取り付けられる線材板とを備えたペットケージにおいて、
上記線材板が、その上端部に設けられて上記天枠や中枠に設けられた下側挿入穴に挿入される上端突起と、当該上端突起に取り付けられて上記下側挿入穴に挿入される上端支持筒と、上記線材板の下端部に設けられて上記底枠や中枠に設けられた上側挿入穴に挿入される下端突起と、当該下端突起に取り付けられて上記上側挿入穴に挿入される下端支持筒とを備えたことを特徴とする。
【００１９】
上記構成により、上記第２の発明と同様に、線材板の上端突起に上端支持筒を取り付け、下端突起に下端支持筒を取り付ける。次いで、線材板の上端突起を天枠等の下側挿入穴に挿入し、下端突起を底枠等の上側挿入穴の直上に位置させて、そのまま上側挿入穴に挿入する。これにより、線材板を底枠や天枠等の間に容易に取り付けることができる。さらに、上端支持筒及び下端支持筒が、線材板と底枠等との間に介在して、線材板と底枠等とが直接に接触するのを防止する。この結果、線材板及び底枠等が金属のときに特に大きくなる接触音を防止することができる。
【００２０】
第８の考案に係るペットケージは、複数の枠体と、各枠体を支持する支柱と、各枠体の間に取り付けられる線材板とを備えたペットケージにおいて、上記線材板が、その上端部に設けられて上記天枠や中枠に設けられた下側挿入穴に挿入される上端突起と、当該上端突起に嵌合して上記下側挿入穴に挿入される上端キャップと、上記線材板の下端部に設けられて上記底枠や中枠に設けられた上側挿入穴に挿入される下端突起と、当該下端突起に嵌合して上記上側挿入穴に挿入される下端キャップとを備えたことを特徴とする。
【００２１】
上記構成により、上記第３の発明と同様に、線材板の上端突起に上端キャップを取り付け、下端突起に下端キャップを取り付ける。次いで、線材板の上端突起を天枠等の下側挿入穴に挿入し、下端突起を底枠等の上側挿入穴の直上に位置させて、そのまま上側挿入穴に挿入する。下端キャップが下端突起から抜け落ちる場合は、下端キャップを予め上側挿入穴に挿入しておき、下端突起を下端キャップに挿入する。これにより、線材板を底枠や天枠等の間に容易に取り付けることができる。さらに、上端キャップ及び下端キャップが、線材板と底枠等との間に介在して、線材板と底枠等とが直接に接触するのを防止する。この結果、線材板及び底枠等が金属のときに特に大きくなる接触音を防止することができる。
【００２２】
第９の考案に係るペットケージは、第８の考案に係るペットケージにおいて、上記上端キャップが、上記上端突起に直接に嵌合する有底筒体部と、当該有底筒体部の下端部に設けられて上記下側挿入穴の周縁に当接されるフランジ部と、上記有底筒体部内に装着され上記上端突起に支持されて上端キャップを上記下側挿入穴に押し付ける付勢手段とを備え、上記下端キャップが、上記下端突起に直接に嵌合する有底筒体部と、当該有底筒体部の上端部に設けられて上記上側挿入穴の周縁に当接されるフランジ部とを備えたことを特徴とする。
【００２３】
上記構成により、上記第４の発明と同様に、上端キャップを上端突起に嵌合することにより、有底筒体部内の付勢手段が上端キャップを上方へ付勢する。この状態で上端キャップを下側挿入穴に挿入すると、フランジ部が下側挿入穴の周縁に当接した状態で、上端キャップを下側挿入穴に押し付ける。これにより、上端キャップに装着された付勢手段が線材板を下方へ押し付ける。次いで、下端キャップを線材板の下端突起に嵌合した状態で、下端キャップを底枠等の上側挿入穴の直上に位置させて、そのまま上側挿入穴に挿入する。下端キャップが下端突起から抜け落ちる場合は、下端キャップを予め上側挿入穴に挿入しておき、下端突起を下端キャップに挿入する。これにより、線材板を底枠や天枠等の間に容易に取り付けることができる。さらに、上端キャップ内の付勢手段が線材板を下方へ押し付ける。下端突起が下端キャップに挿入された状態で、下端キャップが上側挿入穴に確実に挿入される。また、上端キャップ及び下端キャップが、線材板と底枠等との間に介在して、線材板と底枠等とが直接に接触するのを防止する。この結果、線材板及び底枠等が金属のときに特に大きくなる接触音を防止することができる。
【００２４】
【考案の実施の形態】
以下、本考案に係るペットケージについて、図面を参照しながら説明する。
【００２５】
図１は第１実施形態に係るペットケージを示す概略斜視図、図２は第１実施形態に係るペットケージの線材板を示す正面図、図３は第１実施形態に係るペットケージの上端キャップを示す正面図、図４は第１実施形態に係るペットケージの上端キャップを示す正面断面図、図５は第１実施形態に係るペットケージの下端キャップを示す正面図、図６は第１実施形態に係るペットケージの下端キャップを示す正面断面図、図７は第１実施形態に係るペットケージの枠体を示す断面図、図８は第１実施形態に係るペットケージの枠体を示す断面図、図９は第１実施形態に係るペットケージの支柱への枠体の取り付け態様を示す斜視図及び正面図、図１０は第１実施形態に係るペットケージの線材板の取り付け態様を示す斜視図、図１１は第１実施形態に係るペットケージの上端キャップの取り付け態様を示す断面図、図１２は第１実施形態に係るペットケージの上端キャップの取り付け態様を示す断面図、図１３は第１実施形態に係るペットケージの下端キャップの取り付け態様を示す断面図、図１４は第２実施形態に係るペットケージを示す概略斜視図、図１５は第２実施形態に係るペットケージの中枠を示す平面図、図１６は第２実施形態に係るペットケージの枠体を示す断面図である。
【００２６】
［第１実施形態］
本実施形態に係るペットケージ１は主に犬用として使用されるペットケージである。このペットケージ１は、図１に示すように、底枠２と、天枠３と、支柱４と、線材板５と、キャスター６と、背面壁７とから構成されている。なお、これらは、キャスター６を除いて金属材料で構成されている。
【００２７】
底枠２は、収納空間の底部に位置する部材である。底枠２は、四角形の枠体によって構成されている。この四角形の底枠２の四隅には、底枠２を支柱４の所定位置に固定するための固定筒８（図７参照）が設けられている。この固定筒８の内部は、下方へ広がった円錐形穴状に形成されている。
【００２８】
底枠２の断面形状は、図７に示すように構成されている。底枠２は、枠体９と、底板１３とから構成されている。枠体９は、全体をほぼ四角形枠状に形成されている。枠体９の断面形状は、ほぼ四角形状に形成され、環状溝１０と、底板部１１と、フランジ部１２とを備えている。
【００２９】
環状溝１０は、ほぼ四角形状の断面の内側に面してその下部に設けられている。環状溝１０は、内側に向けて全周に亘って開口して設けられ、板材等が挿入されるようになっている。
【００３０】
底板部１１は、環状溝１０の下側に位置して環状溝１０に挿入された板材等を底枠２等の下側面に合わせて支持するための部材である。底板部１１は、枠体９の低板によって構成される。底板部１１には、使用態様に応じて、種々の板材が載置され、溶接等によって固定される。図７においては、底板１３が設けられて底枠２を構成している。底板１３の上面にはトレー（図示せず）が載置される。
【００３１】
フランジ部１２は、環状溝１０の上側に位置して環状溝１０に挿入された板材等を下側面に溶接等で接合して支持すると共に上側から載置される板材等を上側面で支持するための部材である。図８においては、フランジ部１２の上側面に天井線材板１４が載置され、溶接等で固定されて、天枠３を構成している。また、図１６においては、フランジ部１２の下側面に支持用線材板４８が固定され、フランジ部１２の上側面に止まり板４９が載置されて、中枠４２を構成している。
【００３２】
天枠３は、収納空間の天井部に位置する部材である。この天枠３は、図８にように、枠体９と天井線材板１４とから構成されている。枠体９の構成は、上述した底枠２の枠体９と同様である。天枠３は、枠体９のフランジ部１２の上側面に天井線材板１４が載置されている。天井線材板１４は、その一端部が天枠３に回動可能に取り付けられて、開閉扉となっている。
【００３３】
支柱４は、底枠２及び天枠３に着脱自在に取り付けられてこれらを支持するための部材である。支柱４は、ペットケージ１の高さに合わせて長さに設定されている。支柱４の表面には、図９に示すように、一定間隔毎に環状溝１６が設けられている。環状溝１６は、底枠２及び天枠３を設定位置で支持するための部材である。この環状溝１６に筒状のストッパ１７が取り付けられる。このストッパ１７は、二割りの筒体で構成されている。各筒体の内側面には、環状溝１６に嵌合する環状凸条１８が設けられている。筒状のストッパ１７の外径は、図９（ｂ）に示すように、円錐形状に形成され、固定筒８の円錐状の内径に整合するようになっている。これにより、ストッパ１７がその環状凸条１８を支柱４の環状溝１６に嵌合させた状態で取り付けられて、このストッパ１７にその上側から固定筒８が取り付けられることで、固定筒８によってストッパ１７が押し縮められ、環状凸条１８が環状溝１６に嵌合して、底枠２及び天枠３が設定位置で支柱４に固定されるようになっている。
【００３４】
線材板５は、底枠２と天枠３との間に着脱自在に取り付けられて収納空間の周囲を仕切るための部材である。線材板５は、図２に示すように、金属線材２０を縦横に組み合わせ、互いに溶接して、四角形板状に構成されている。この線材板５の面積は、底枠２及び天枠３の大きさや間隔に合わせて設定される。さらに、線材板５は、底枠２及び天枠３に固定した壁板として使用する場合と、一端のみを回動可能に固定して開閉扉として使用する場合がある。使用態様に応じて、構成を変える。図２に示す線材板５は、壁板として使用するため、底枠２及び天枠３の横幅及び底枠２と天枠３との間隔に合わせた大きさに設定されている。線材板５が取り付けられる部分の一部は、横開き扉又は縦開き扉が設けられる。この扉は、必要に応じて、適宜位置に設けられる。
【００３５】
線材板５の上端部には上端突起２１が設けられている。この上端突起２１は、天枠３の下側面に設けられた下側挿入穴２２（図１１，１２参照）に挿入されるための部材である。上端突起２１は長い寸法に設定されている。上端突起２１には、図３，４に示す上端キャップ２３が取り付けられている。
【００３６】
この上端キャップ２３は、上端突起２１に嵌合して下側挿入穴２２に挿入されることで、線材板５の上部を天枠３に支持するための部材である。上端キャップ２３は、合成樹脂で成形されている。上端キャップ２３は、有底筒体部２４と、フランジ部２５と、付勢手段２６とから構成されている。有底筒体部２４は、上端突起２１に直接に嵌合する部材である。有底筒体部２４は、深底の筒体で構成され、上端キャップ２３の上下動を許容するようになっている。さらに、有底筒体部２４は、天枠３と線材板５との間に介在して、これらが直接的に接触しないようになっている。有底筒体部２４の底部（上端部）には、付勢手段２６の端部を支持する支持部２７設けられている。有底筒体部２４の下端部には、フランジ部２５が設けられている。このフランジ部２５は、天枠３の下側挿入穴２２の周縁に当接されるための部材である。フランジ部２５は、有底筒体部２４が天枠３の下側挿入穴２２に挿入された状態で、下側挿入穴２２の周縁に当接して上端キャップ２３を支持するようになっている。有底筒体部２４及び天枠３の寸法によっては、有底筒体部２４の上端部が天枠３の内壁面に当接して支持される場合もある。付勢手段２６は、上端キャップ２３を上方へ押し上げるための部材である。付勢手段２６は、コイルスプリング（図１１，１２参照）で構成され、有底筒体部２４内に装着されている。具体的には、付勢手段２６の上端部が支持部２７に嵌合することで、付勢手段２６が有底筒体部２４内に装着されている。この付勢手段２６の下端部は、上端突起２１の上端面に当接できるように平坦面状に構成されている。これにより、上端キャップ２３が上端突起２１に取り付けられて下側挿入穴２２に挿入されると、付勢手段２６が押し縮められて、その反力で、上端キャップ２３が下側挿入穴２２に押し付けられるようになっている。
【００３７】
線材板５の下端部には、図２に示すように、下端突起２９が設けられている。この下端突起２９は、底枠２の上側面に設けられた上側挿入穴３０（図１３参照）に挿入されるための部材である。下端突起２９は短い寸法に設定されている。下端突起２９には、図５，６に示す下端キャップ３１が取り付けられてる。
【００３８】
この下端キャップ３１は、下端突起２９に嵌合して上側挿入穴３０に挿入されることで、線材板５の下部を底枠２に支持するための部材である。下端キャップ３１は、合成樹脂で成形され、有底筒体部２４と、フランジ部３４とから構成されている。有底筒体部２４は、下端突起２９に直接に嵌合する部材である。有底筒体部２４は、浅底の筒体で構成され、下端突起２９に取り付けられるようになっている。さらに、有底筒体部２４は、底枠２と線材板５との間に介在して、これらが直接的に接触しないようになっている。フランジ部３４は、有底筒体部２４の上端部に設けられている。このフランジ部３４は、有底筒体部２４が上側挿入穴３０に挿入された状態で、上側挿入穴３０の周縁に当接して、線材板５を底枠２上に支持するようになっている。
【００３９】
上記構成の線材板５は、図１０〜１３に示すようにして、底枠２と天枠３との間に組み付けられる。図１０（ａ）のように、線材板５の上端突起２１に上端キャップ２３が取り付けられ、下端突起２９に下端キャップ３１が取り付けられて、上端キャップ２３が天枠３の下側挿入穴２２に挿入される。次いで、図１０（ｂ）のように、線材板５をそのまま押し上げると、図１１に示すように、上端キャップ２３のフランジ部２５が天枠３の下側挿入穴２２の周縁に当接し、上端突起２１が付勢手段２６を押し縮めた状態になる。この状態で、図１０（ｃ）のように、線材板５の下端突起２９に取り付けた下端キャップ３１を底枠２の上側挿入穴３０に挿入する。これにより、図１２のように、付勢手段２６で上端突起２１が下方へ押され、線材板５が底枠２へ押し下げられる。これにより、図１３に示すように、線材板５の下端突起２９が下端キャップ３１に挿入された状態で、底枠２の上側挿入穴３０に固定される。取り外しときは、線材板５を持ち上げて手前に引いて下方へ引き下げる。これにより、容易に付け外すことができる。
【００４０】
キャスター６は、図１に示すように、ペットケージ１を支持して移動させるための部材である。このキャスター６は、底枠２の四隅の下側面に取り付けられている。
【００４１】
背面壁７は、ペットケージ１の背部の上方に設けられる壁部である。この背面壁７は、２本の支柱４と、各支柱４の間に取り付けられる線材板　によって構成されている。この背面壁７には、小物を入れるための小物ケース等が取り付けられる。
【００４２】
以上のように構成されたペットケージ１では、開閉扉を開いて、犬を出し入れする。また、必要に応じて、移動させる。また、背面壁７には、小物入れ等をフックで取り付ける。
【００４３】
以上のように、底枠２と天枠３と支柱４と線材板５とを適宜組み合わせることにより、容易にペットケージ１を構成することができる。
【００４４】
上端キャップ２３及び下端キャップ３１を介して線材板５を底枠２と天枠３との間に取り付けるため、線材板５を容易に着脱させることができると共に、確実に固定することができる。さらに、底枠２及び天枠３と線材板５との間に、合成樹脂製の上端キャップ２３及び下端キャップ３１を介在させるため、金属同士の接触による騒音を防止することができる。
【００４５】
［第２実施形態］
次に、本考案の第２実施形態について図１４，１５を基に説明する。
【００４６】
本実施形態に係るペットケージ４０は主に猫用として使用されるペットケージである。このペットケージ４０は、底枠４１と、中枠４２と、天枠４３と、支柱４４と、線材板４５と、キャスター４６とを組み合わせて、３段のペットケージを構成している。なお、中枠４２及び支柱４４を除いて、他の部材は上記第１実施形態のペットケージ１と同様である。
【００４７】
３段のペットケージであるため、中枠４２は２つ設けられている。中枠４２は、図１５に示すように、枠体９と、支持用線材板４８と、止まり板４９とから構成されている。なお、枠体９は、上記底枠２等の枠体９と同様の構成を有する。
【００４８】
支持用線材板４８は、止まり板４９に合わせてほぼ三角形状に構成されている。この支持用線材板４８は、図１６に示すように、枠体９のフランジ部１２の下側面に固定されて、枠体９に取り付けられている。
【００４９】
止まり板４９は、猫がペットケージ４０内の底部に居る状態から上の部屋へ移動するときの足場になったり、寝そべったりするための板材である。この止まり板４９は、猫の通路部分を切り欠いた板材によって構成されている。止まり板４９は、枠体９のフランジ部１２の上側面に載置される。止まり板４９は、その周縁をフランジ部１２に支持された状態で、中央部を支持用線材板４８に支持されている。
【００５０】
支柱４４は、３段のペットケージ４０の高さに合わせた長さに設定されている。
【００５１】
また、開閉扉は、底枠４１と中枠４２との間、中枠４２と天枠４３との間、天枠４３の上面等に適宜取り付けられる。
【００５２】
以上のように構成されたペットケージ４０では、上記第１実施形態のペットケージ１と同様に、開閉扉を開いて、猫を出し入れする。また、必要に応じて、移動させる。
【００５３】
以上ににより、上記第１実施形態のペットケージ１と同様に、底枠４１と中枠４２と天枠４３と支柱４４と線材板４５とを適宜組み合わせることにより、容易にペットケージ４０を構成することができる。また、ペットケージ４０の大きさも、上記各部材を適宜組み合わせることにより、容易に偏向することができる。ペットの大きさや種類に応じて最適な大きさのペットケージ４０を提供することができる。
【００５４】
また、上記第１実施形態のペットケージ１と同様に、上端キャップ２３及び下端キャップ３１を取り付けるため、線材板４５を容易に着脱させることができると共に確実に固定することができ、さらに金属同士の接触による騒音を防止することができる。
【００５５】
なお、上記構成のペットケージ４０において、線材板４５を設けないようにしてもよい。これにより、広い部屋の中に、猫が上り下りしたり休んだりするための空間を構成することができる。
【００５６】
さらに、ペットケージ４０を上方と共に横へ複数並べて構成してもよい。この場合、例えば横に２列に並べるときは、底枠４１と天枠４３の２つか、底枠４１と中枠４２と天枠４３の３つを横に２つ並べた一体構成の枠体にする。このとき、中央位置の固定筒８を１つで共有して、全部で６個設ける。この横に２つ並べた一体構成の枠体に支柱４４を通して線材板４５等を取り付ける。さらに、前後左右及び上下に組み合わせるようにしてもよい。この場合も、底枠等として、前後左右へ４つや９つ等の個数を並べて一体的に構成した枠体を作る。中枠４２の止まり板４９を除いて広い空間にしてもよい。
【００５７】
これにより、種々の形態のペットケージを構成することができる。
【００５８】
［変形例］
上記各実施形態では、付勢手段２６としてスプリングを用いたが、スプリングに限らず、弾力性に優れた合成樹脂でもよい。収縮率の良いゴムや発泡樹脂等を使用することができる。
【００５９】
これにより、ペットにゆったりした空間を提供することができる。頻繁に動き回る性質のペットにも最適な空間を提供することができる。
【００６０】
上記各実施形態では、上端キャップ２３及び下端キャップ３１を線材板５，４５の上下端部に設けたが、上端キャップ２３等の代わりに上端突起等に直接的に固定する上端支持筒及び下端支持筒を設けてもよい。即ち、線材板の上端突起に上端支持筒を抜け落ちないように取り付け、下端突起に下端支持筒を抜け落ちないように取り付ける。この上端支持筒及び下端支持筒は、有底筒体状にしても、底のない筒体状にしてもよい。例えば、ゴム製の筒体で、上端突起等の外径よりも僅かに小さい内径に設定する。
【００６１】
次いで、線材板の上端突起を天枠等の下側挿入穴に挿入し、下端突起を底枠等の上側挿入穴の直上に位置させて、そのまま上側挿入穴に挿入する。これにより、線材板を底枠や天枠等の間に容易に取り付けることができる。さらに、上端キャップ２３等と同様に、線材板及び底枠等が金属のときに特に大きくなる接触音を防止することができる。
【００６２】
【考案の効果】
以上、詳細に説明したように本考案によれば、次のような効果を奏することができる。
【００６３】
底枠、中枠、天枠、支柱、線材板を適宜組み合わせることにより、種々の大きさ、形状のペットケージを容易に構成することができる。
【００６４】
上端キャップ及び下端キャップを介して線材板を底枠、天枠等の間に取り付けるため、線材板を容易に着脱させることができると共に、確実に固定することができる。さらに、底枠、天枠、線材板等の間に、上端キャップ等を介在させるため、金属同士の接触による騒音を防止することができる。
【図面の簡単な説明】
【図１】本考案の第１実施形態に係るペットケージを示す概略斜視図である。
【図２】本考案の第１実施形態に係るペットケージの線材板を示す正面図である。
【図３】本考案の第１実施形態に係るペットケージの上端キャップを示す正面図である。
【図４】本考案の第１実施形態に係るペットケージの上端キャップを示す正面断面図である。
【図５】本考案の第１実施形態に係るペットケージの下端キャップを示す正面図である。
【図６】本考案の第１実施形態に係るペットケージの下端キャップを示す正面断面図である。
【図７】本考案の第１実施形態に係るペットケージの枠体を示す断面図である。
【図８】本考案の第１実施形態に係るペットケージの枠体を示す断面図である。
【図９】本考案の第１実施形態に係るペットケージの支柱への枠体の取り付け態様を示す斜視図及び正面図である。
【図１０】本考案の第１実施形態に係るペットケージの線材板の取り付け態様を示す斜視図である。
【図１１】本考案の第１実施形態に係るペットケージの上端キャップの取り付け態様を示す断面図である。
【図１２】本考案の第１実施形態に係るペットケージの上端キャップの取り付け態様を示す断面図である。
【図１３】本考案の第１実施形態に係るペットケージの下端キャップの取り付け態様を示す断面図である。
【図１４】本考案の第２実施形態に係るペットケージを示す概略斜視図である。
【図１５】本考案の第２実施形態に係るペットケージの中枠を示す平面図である。
【図１６】本考案の第２実施形態に係るペットケージの枠体を示す断面図である。
【符号の説明】
１：ペットケージ、２：底枠、３：天枠、４：支柱、５：線材板、６：キャスター、７：背面壁、８：固定筒、９：枠体、１０：環状溝、１１：底板部、１２：フランジ部、１３：底板、１４：天井線材板、１６：環状溝、１７：ストッパ、１８：環状凸条、２０：金属線材、２１：上端突起、２２：下側挿入穴、２３：上端キャップ、２４：有底筒体部、２５：フランジ部、２６：付勢手段、２７：支持部、２９：下端突起、３０：上側挿入穴、３１：下端キャップ、３４：フランジ部、４０：ペットケージ、４１：底枠、４２：中枠、４３：天枠、４４：支柱、４５：線材板、４６：キャスター、４８：支持用線材板、４９：止まり板。
【図１】
0003098127.tif 000003
【図２】
0003098127.tif 000004
【図３】
0003098127.tif 000005
【図４】
0003098127.tif 000006
【図５】
0003098127.tif 000007
【図６】
0003098127.tif 000008
【図７】
0003098127.tif 000009
【図８】
0003098127.tif 000010
【図９】
0003098127.tif 000011
【図１０】
0003098127.tif 000012
【図１１】
0003098127.tif 000013
【図１２】
0003098127.tif 000014
【図１３】
0003098127.tif 000015
【図１４】
0003098127.tif 000016
【図１５】
0003098127.tif 000017
【図１６】
0003098127.tif 000018